(57)【要約】      （修正有）【課題】実際にサウナ室内の雰囲気がサウナ浴に適した高温多湿の状態になってからの積算時間をカウントするサウナ装置の制御装置を提供する。【解決手段】加湿空気供給機を運転制御する運転スイッチ８５とは別個に設けた入浴者が操作するスイッチ９１により駆動するカウント手段９２とカウント手段の時間経過を表示する時間表示部９４とを備え、または、在室検知手段１０５によりカウント手段９９を駆動する構成にすることにより時間表示と入浴時間を一致させ、また、操作も簡便にした。【選択図】図３
2006187436.tif 000002
【特許請求の範囲】
【請求項１】
住居の一室もしくは箱形のサウナ室に高温の加湿空気を供給する加湿空気供給機と、この加湿空気供給機を制御する制御装置とで構成されるサウナ装置に置いて、前記制御装置は運転スイッチと、この運転スイッチにより前記加湿空気供給機の運転を制御する制御部と、前記運転スイッチとは別個に設けたスイッチと、このスイッチにより駆動され時間をカウントするカウント手段、およびこのカウント手段の積算時間を表示する時間表示部とを備え、前記カウント手段からの信号に基づいて前記制御部を介して前記加湿空気供給機を制御することを特徴とするサウナ装置の制御装置。
【請求項２】
住居の一室もしくは箱形のサウナ室に高温の加湿空気を供給する加湿空気供給機と、この加湿空気供給機を制御する制御装置とで構成されるサウナ装置に置いて、前記制御装置は運転スイッチと、この運転スイッチにより前記加湿空気供給機の運転を制御する制御部と、前記サウナ室の内外に設けた在室検知手段と、この在室検知手段により駆動され時間をカウントするカウント手段、およびこのカウント手段の積算時間を表示する時間表示部とを備え、前記カウント手段からの信号に基づいて前記制御部を介して前記加湿空気供給機を制御することを特徴とするサウナ装置の制御装置。
【請求項３】
請求項１もしくは請求項２の制御装置は、カウント手段の信号で制御される報知音発生部を備え、時間表示部は経過時間を表示し、時間の経過に従い所定時間間隔で前記報知音発生部が報知音を発生するよう構成したことを特徴とする請求項１もしくは請求項２のサウナ装置の制御装置。
【請求項４】
請求項３の所定時間間隔は時間の経過に従い、順次短くなるよう構成したことを特徴とする請求項３のサウナ装置の制御装置。
【請求項５】
請求項３の報知音発生部を制御する報知間隔設定部を設け、この報知間隔設定部の操作により所定時間間隔が調節できるよう構成したことを特徴とする請求項３のサウナ装置の制御装置。
【請求項６】
請求項３の時間表示部の経過時間が所定の上限値に到達したとき、加湿空気供給機の運転を停止するよう構成したことを特徴とする請求項３のサウナ装置の制御装置。
【請求項７】
請求項１もしくは請求項２の制御装置は、カウント手段のカウント時限を設定する時限設定部と前記カウント手段の信号で制御される報知音発生部を備え、時間表示部は経過時間値またはカウントダウンで残時間値を表示し、時間の経過に従い、所定時間間隔で前記報知音発生部が報知音を発生し、且つ、所定の経過時間上限値に到達したとき、またはカウントダウンが終了したとき、前記報知音発生部で報知音を発生し、加湿空気供給機の運転を停止するよう構成したことを特徴とする請求項１もしくは請求項２のサウナ装置の制御装置。
【請求項８】
所定の経過時間上限値に到達してから、またはカウントダウンが終了してから所定時間は加湿空気供給機の停止動作を待機し、この待機中に経過時間上限値の延長、または残時間値を初期の設定値もしくは所定の時間値にリセットできるようにした請求項７のサウナ装置の制御装置。
【請求項９】
経過時間上限値の延長または残時間値のリセットは、請求項１のスイッチを所定時間以上押し続けることにより実行されるよう構成した請求項８のサウナ装置の制御装置。
【請求項１０】
音声認識部を備え、この音声認識部が、使用者が発する音声もしくは偽音を認識することにより、経過時間上限値の延長、または残時間値のリセットができるように構成したことを特徴とする請求項８のサウナ装置の制御装置。
【請求項１１】
請求項７のサウナ装置の制御装置において、時限記憶部と時限演算部を備え、前記時限記憶部はカウント手段がカウントした時間データを複数回記憶し、この複数の時間データに基づいて前記時限演算部が平均値等の演算処理を行い、その結果を時限設定部の設定時限に自動的に反映するよう構成したことを特徴とする請求項７のサウナ装置の制御装置。
【請求項１２】
請求項１もしくは請求項２に記載のサウナ装置の制御装置において、人体データ入力手段と時限演算部を備え、前記人体データ入力手段に入力された身長、体重などなどの人体データに基づいて前記時限演算部が推奨時限の演算処理を行い、その結果を時限設定部の設定時限に自動的に反映するよう構成したことを特徴とする請求項７のサウナ装置の制御装置。
【請求項１３】
請求項１もしくは請求項２に記載のサウナ装置の制御装置において、サウナ室内の温度データが所定値以下の時は、請求項１の別個に設けたスイッチの操作もしくは請求項２の在室検知手段の動作でカウント手段が作動することを禁止するよう構成したことを特徴とする請求項１もしくは請求項２のサウナ装置の制御装置。
【発明の詳細な説明】
【技術分野】
【０００１】
本発明は、住居などで使用されるサウナ装置の運転制御や状態監視などを行う制御装置に関する。
【背景技術】
【０００２】
従来、この種のものには、たとえば特許文献１に示すようなものが知られている。
【０００３】
この特許文献１に示すものは、その請求項と効果の項に記載されているように、次のような構成と動作および効果を有する。
【０００４】
すなわち、身障者や寝たきりの高齢者を覆う寝袋状のサウナドーム（小容積の空間）に多湿雰囲気を供給する多湿雰囲気供給装置を制御するカウント手段を設け、このカウント手段は前記多湿雰囲気供給装置の多湿雰囲気供給開始から始動し、カウント手段の積算時間を表示する積算時間表示部によって経過時間を表示するようにしたものである。
【０００５】
また、積算時間が所定値になると前記多湿雰囲気供給装置の運転を停止するよう構成したものである。
【０００６】
以上のように構成することにより、介護者などがサウナ浴の時間を知ることができ、
適当な時間で装置を停止でき、万一、切り忘れがあっても自動的に停止できるため安全である。
【特許文献１】特開２００１−１０４４４４号公報
【発明の開示】
【発明が解決しようとする課題】
【０００７】
このような従来のサウナ装置の制御方式を、一般の住居で使用する箱形のサウナ装置に適用したばあいには、次のような課題がある。
【０００８】
箱形のサウナ装置は、その室内の容積が大きいため、高温多湿雰囲気が供給されても、すぐにサウナ室内の雰囲気がサウナ浴に適した高温多湿の状態にならない。数分から十数分の時間を要し、この時間は外気温度すなわち季節によっても変動する。
【０００９】
したがって、高温多湿空気が供給された時点から積算時間をカウントとすると、実効的なサウナ浴時間と表示された時間との差違が生じ、入浴者は正しい入浴時間を知ることができない。
【００１０】
サウナ装置利用者は、サウナ浴に適した時間を待機してサウナ室内に這入ろうし、その待機時間も曖昧なものであるから、前記の差違はサウナ室利用毎に異なる事になり、特に健康管理のために、時間を決めて入浴したい利用者には不都合が発生する。
【００１１】
本発明は、このような課題を解決するものであり、入浴時間とその表示時間が一致するサウナ装置の制御装置を提供するものであり、加えて、使い勝手がよく、快適なサウナ装置を実現するための制御装置を提供することを目的としている。
【課題を解決するための手段】
【００１２】
本発明のサウナ装置の制御装置は上記目的を達成するために、高温の加湿空気を供給する加湿空気供給機を運転制御する運転スイッチとは別個に設けたスイッチと、このスイッチにより駆動するカウント手段、およびこのカウント手段の時間経過を表示する時間表示部とを備え、カウント手段からの信号に基づいて制御部を介して前記加湿空気供給機を制御する構成としたものである。
【００１３】
この手段により時間表示と入浴時間を一致させることができる。
【００１４】
また本発明のサウナ装置の制御装置は上記目的を達成するために、サウナ室近傍に設けた在室検知手段によりカウント手段を駆動し、このカウント手段の時間経過を表示する時間表示部を備え、カウント手段からの信号に基づいて制御部を介して前記加湿空気供給機を制御する構成としたものである。
【００１５】
この手段によりさらに正確に時間を一致させることができるとともに、別段の操作なしにカウント手段を作動でき操作が簡便化できる。
【００１６】
また、前記の２の手段とも、報知音発生部を設け、時間経過に関連づけて報知音を発生する構成としている。
【００１７】
この手段により、サウナ室の入浴者は、リラックスした自然な状態のままで、入浴の時間経過を知ることができる。
【発明の効果】
【００１８】
本発明によれば入浴時間とその表示時間が一致したサウナ装置を提供できる。
【００１９】
また、音声等の報知音により入浴の経過時間をリラックスした自然な状態で知ることができ、操作も簡便なサウナ装置を提供できる。
【発明を実施するための最良の形態】
【００２０】
請求項１の発明は、住居の一室もしくは箱形のサウナ室に高温の加湿空気を供給する加湿空気供給機と、この加湿空気供給機を制御する制御装置とで構成されるサウナ装置に置いて、制御装置は運転スイッチと、この運転スイッチにより加湿空気供給機の運転を制御する制御部と、運転スイッチとは別個に設けたスイッチと、このスイッチにより駆動され時間をカウントするカウント手段、およびこのカウント手段の時間経過を表示する時間表示部とを備え、カウント手段からの信号に基づいて制御部を介して前記加湿空気供給機を制御する構成にしたことを特徴としている。
【００２１】
以上のように構成することにより、時間表示部の経過時間と入浴時間とが一致する。
【００２２】
請求項２の発明は、住居の一室もしくは箱形のサウナ室に高温の加湿空気を供給する加湿空気供給機と、この加湿空気供給機を制御する制御装置とで構成されるサウナ装置に置いて、前記制御装置は運転スイッチと、この運転スイッチにより前記加湿空気供給機の運転を制御する制御部と、前記サウナ室の内外に設けた在室検知検出手段と、この在室検知出手段により駆動され時間をカウントするカウント手段、およびこのカウント手段の積算時間を表示する時間表示部とを備え、前記カウント手段からの信号に基づいて前記制御部を介して前記加湿空気供給機を制御する構成にしたことを特徴としている。
【００２３】
以上のように構成することにより、入浴者は、別段の操作を行う必要がなく、かつ時間表示部の経過時間と入浴時間とが一致する。
【００２４】
請求項３の発明は、請求項１もしくは請求項２の発明の制御装置が、カウント手段の信号で制御される報知音発生部を備え、時間表示部は経過時間を表示し、時間の経過に従い所定時間間隔で前記報知音発生部が報知音を発生するよう構成したことを特徴としている。
【００２５】
以上のように構成することにより、入浴者が時間表示部を見る事なく経過時間を知ることができる。
【００２６】
請求項４の発明は、請求項３の発明において、所定時間間隔が時間の経過に従い、順次短くなるよう構成したことを特徴としている。
【００２７】
以上のように構成することにより、入浴者に身体に差し障りがある場合の長時間の入浴を防止できる。
【００２８】
請求項５の発明は、請求項３の発明において、報知音発生部を制御する報知間隔設定部を設け、この報知間隔設定部の操作により所定時間間隔が調節できるよう構成したことを特徴としている。
【００２９】
以上のように構成することにより、入浴者の身体状況に応じた時間経過を知らせることができる。
【００３０】
請求項６の発明は、請求項３の発明において、時間表示部の経過時間が所定の上限値に到達したとき、加湿空気供給機の運転を停止するよう構成したことを特徴としている。
【００３１】
以上のように構成することにより、長時間の入浴による身体への障害を防止できる。
【００３２】
請求項７の発明は、請求項１もしくは請求項２の制御装置は、カウント手段のカウント時限を設定する時限設定部と前記カウント手段の信号で制御される報知音発生部を備え、時間表示部は経過時間値またはカウントダウンで残時間値を表示し、時間の経過に従い、所定時間間隔で前記報知音発生部が報知音を発生し、且つ、所定の経過時間上限値に到達したとき、またはカウントダウンが終了したとき、前記報知音発生部で報知音を発生し、加湿空気供給機の運転を停止するよう構成したことを特徴としている。
【００３３】
以上のように構成することにより、長時間の入浴を防止できる。
【００３４】
請求項８の発明は、請求項７の発明において、所定の経過時間上限値に到達してから、またはカウントダウンが終了してからの所定時間は加湿空気供給機の停止動作を待機し、この待機中にカウント時限の延長または、時間表示の残時間値を初期の設定値、もしくは所定の時間値にリセットできるようにしたことを特徴としている。
【００３５】
以上のようにすることにより、入浴者の入浴時間の選択の自由度が向上する。
【００３６】
請求項９の発明は、請求項８の発明において、経過時間上限値の延長または、残時間値のリセットは、請求項１のスイッチを所定時間以上押し続けることにより実行されるよう構成している。
【００３７】
以上のように構成することにより、操作部に新たなスイッチを設ける必要がなく、また、何げなく触れるなどでの誤操作が防止できる。
【００３８】
請求項１０の発明は、請求項８の発明において、音声認識部を備え、この音声認識部が、使用者が発する音声もしくは偽音を認識することにより、経過時間上限値の延長、または残時間値のリセットができるように構成したことを特徴としている。
【００３９】
以上のように構成することにより、入浴者は入浴中の姿勢のままで入浴時間を延長することができる。
【００４０】
請求項１１の発明は、請求項７の発明において、時限記憶部と時限演算部を備え、前記時限記憶部はカウント手段がカウントした時間データを複数回記憶し、この複数の時間データに基づいて前記時限演算部が平均値等の演算処理を行い、その結果を時限設定部の設定時限に自動的に反映するよう構成したことを特徴としている。
【００４１】
以上のように構成することにより、入浴者は時限設定部での設定をする必要がなく、操作性が向上する。
【００４２】
請求項１２の発明は、請求項７の発明において、人体データ入力手段と時限演算部を備え、前記人体データ入力手段に入力された身長、体重などの人体データに基づいて前記時限演算部が推奨時限の演算処理を行い、その結果を時限設定部の設定時限に自動的に反映するよう構成したことを特徴としている。
【００４３】
以上のように構成することにより、入浴者の身体条件に応じた入浴条件が得られ、かつ、操作が簡略化される。
【００４４】
請求項１３の発明は、請求項１もしくは請求項２の発明において、サウナ室内の温度データが所定値以下の時は、別個に設けたスイッチの操作もしくは在室検知手段の動作でカウント手段が作動することを禁止するよう構成したことを特徴としている。
【００４５】
以上のように構成することにより、時間表示部の表示時間と入浴時間との一致が高精度になる。
【００４６】
以下、本発明の実施の形態について図面を参照しながら説明する。
【００４７】
（実施の形態１）
図１は、本発明が適用されるサウナ装置の外観を示す図である。
【００４８】
サウナ室１の側壁に給湯器２が、天井に加湿空気供給機３が設置され、両者間には温水配管４が配設されている。加湿空気供給機３には給水配管５と排水配管６が接続されている。
【００４９】
サウナ室１の外壁のドア７の近傍には室外操作器８が設置され、サウナ室内には室内操作器９が設置されている。
【００５０】
室外操作器８の操作で運転指示が行われると、加湿空気供給機３は、ポンプ（図示せず）を駆動し温水を循環し、電磁弁（図示せず）を駆動して給水配管５より給水をうけ、温水との熱交換（図示せず）を行い、次に回転円盤（図示せず）を駆動して熱交換された給水を遠心力で微細なミストにして送風機（図示せず）により下方のサウナ室に供給する。
【００５１】
温暖なミストがサウナ室内に充満し、室内に設置した温度センサ（図示せず）により適温を検知すると、前記のポンプ、電磁弁、回転円盤、および送風機を停止し、サウナ室内は所定の温度に保たれる。
【００５２】
図２は、操作器の外観を示す図である。図２（ａ）はサウナ室の外壁に設置される室外操作器８、図２（ｂ）はサウナ室内に設置される室内操作器９、図２（ｃ）は台所などに設置される遠隔操作器１０の外観を示している。
【００５３】
図２（ａ）において、運転スイッチ８５を押すと運転表示灯８６が点灯する。温度設定部８３で温度表示部８４の表示を見ながらサウナ室内の温度を設定する。サウナ室内の温度が設定温度に近づくと入浴ＯＫ灯８７が点灯し入浴可能であることを入浴者に知らせる。運転の停止は運転釦８５を押して運転表示灯８６が消灯することで実行される。
【００５４】
図２（ｂ）において、運転関係の操作、表示は図２（ａ）に同じである（点線枠内）ので、この部の説明は省略する。
【００５５】
入浴者が経過時間スイッチ９１を押すと、この釦が押されたことを表示する表示灯９３が点灯する。同時に時間表示部９４に経過時間がカウントアップで表示される。報知音発生部９５は時間の経過に従い所定間隔で音声報知する音声発生部であり、この所定間隔は、間隔設定部９６で表示部９７の表示を見ながら設定できる。
【００５６】
また、入浴者が残時間スイッチ９８を押すと、この釦が押されたことを表示する表示灯１００が点灯する。時間表示部９４には残時間が表示され、時間の経過とともにカウントダウンする。また、時限設定部１０１の操作で残時間の初期値が設定できる。
【００５７】
図２（ｃ）において、運転関係の操作、表示は図２（ａ）に同じであるので（点線枠内）、この部の説明は省略する。
【００５８】
体重表示部１３を見ながら設定釦１４を操作して体重を設定し、身長表示部１５を見ながら設定釦１６を操作して身長を設定すると時間表示部１７に推奨の入浴時間が表示される。
【００５９】
この推奨の入浴時間は図２（ｂ）の時間表示部９４にも連携している（後述）。
【００６０】
また、推奨の入浴時間は、操作ボタン１８の操作で修正することができる。
【００６１】
図３は、実施の形態の構成を示すブロック図である。
【００６２】
実施の形態の構成は、前述した図２の構成に対比して表示しており、室外操作器８と室内操作器９および遠隔操作器１０の３部分から構成されている。
【００６３】
以下、順に構成の詳細を説明する。
【００６４】
まず、室外操作器８について説明する。室外操作器８は、加湿空気供給機３を制御するための加湿空気供給機の制御部８１（以下、単に制御部８１と略記）と、この制御部８１に接続された温度センサ８２（サウナ室内に設置）、サウナ室の温度を設定する温度設定部８３、設定した温度を表示する温度表示部８４，運転スイッチ８５、運転中を表示する運転表示灯８６およびサウナ室内の温度が入浴可能な温度に到達したことを表示する入浴ＯＫ灯８７から構成されている。
【００６５】
次に、室内操作器９について説明する。経過時間スイッチ９１が、この経過時間スイッチ９１の操作で駆動され時間経過をカウントアップするカウント手段９２に接続されている。カウント手段９２は、時計やタイマーなどの計時部と、この計時部の作動を制御する複数の入力部、計時値を出力する出力部のほか、計時基準値を指定する基準部と、前記計時部の計時値が前記基準部の基準値に達した時、信号を発生する信号出力部などを備えたものである。
【００６６】
このカウント手段９２には、カウント手段９２が作動中であることを表示する表示灯９３と、カウント結果を表示する時間表示部９４および、スピーカとその制御部からなる音声を発生する報知音発生部９５が接続され、この報知音発生部９５には報知間隔設定部９６が接続されており、さらに、この報知間隔設定部９６には設定間隔を表示する表示部９７が接続されている。
【００６７】
また、残時間スイッチ９８が、この残時間スイッチ９８の操作で駆動される前記カウント手段９２と同様のカウント手段９９に接続されている。このカウント手段９９には、カウント手段９９が作動中であることを表示する表示灯１００とカウントダウンの初期時間値を設定する時限設定部１０１と、カウントダウンの結果を表示する前述の時間表示部９４および、前述の報知音発生部９５が接続され、さらに、カウント手段９９のカウント結果を複数回記憶する時限記憶部１０２と、音声認識部１０３も接続されている。さらに時限記憶部１０２には、この時限記憶部１０２が記憶した複数のデータの平均値を求める時限演算部１０４が接続され、この時限演算部１０４もまたカウント手段９９に接続している。
【００６８】
また、赤外線式あるいは超音波式の人体検知器などでサウナ室内の人体を検知する在室検知手段１０５もカウント手段９９の駆動入力としてカウント手段９９に接続した構成になっている。なお前述の図２（ｂ）では、室内操作器の一部に運転制御に関する操作、表示の外観を示しているが、この図３では、運転制御の構成は室外操作器８に代表して示しているので、運転制御に関する説明は省略する。
【００６９】
次に遠隔操作器１０について説明する。
【００７０】
人体データ入力手段１１は、図２（ｃ）の説明で記載したような体重、身長など操作釦であるが、他の方法としては、人体情報を収納した病院の診察ＩＣカードとそのカードリーダーである。また、ペンダント型の無線ＩＣタグに人体情報を収納しておき、遠隔操作器側にタグ読み取り器を収納する方法も適用できる。
【００７１】
時限演算部１２は、これらの人体データ入力手段で入力されたデータに基づいて、その人体に適したサウナ浴の時間を演算する。
【００７２】
次に、ここまで述べてきた、室外操作器８と室内操作器９および遠隔操作器１０の相互関係について説明する。
【００７３】
室内操作器９のカウント手段９２および９９はいずれも室外操作器８の制御部８１と電気的に係合しており、前記２者のカウント手段の信号で制御部８１を介して加湿空気供給機３の運転制御ができる。
【００７４】
また制御部８１の信号でカウント手段９２および９９の動作を制御することができるよう構成されている。
【００７５】
また、遠隔操作器１０の時限演算部１２はカウント手段９９と電気的に係合しており、時限演算部１２の演算結果がカウント手段９９の設定時限に反映できるよう構成されている。
【００７６】
以上の構成において、次の本発明の実施の形態の動作について、図４〜図６を用いて説明する。
【００７７】
室外操作器８の動作は、前述した構成の説明で大略を述べたので説明を省略する。
【００７８】
まず、室内操作器９の経過時間スイッチ９１が押された場合の動作について、図４のフローチャートを用いて説明する。
【００７９】
ステップ１（以下、ステップをＳと略記）において、経過時間スイッチ９１が押されるとカウント手段９２は、制御部８１に入浴可能な状態がどうかを問い合わせ、入浴が不可の状態であれば、時間のカウント動作の開始を待機する（Ｓ２）。
【００８０】
入浴ＯＫであれば、表示灯９３を点灯し、時間のカウントを開始し、時間経過は時間表示部９４で表示される（Ｓ３）。
【００８１】
一定時間（たとえば５分）を経過すると（Ｓ４）、報知音発生部９５が音声合成音で（たとえば‘５分経過’）音声報知する（Ｓ５）。
【００８２】
このＳ４とＳ５の動作は複数回繰り返される。次の時間経過後では（たとえば１０分）報知音発生部９５が音声合成音で（たとえば‘１０分経過’）音声報知する。
【００８３】
このような動作を繰り返すが、報知音発生部９５の音声報知の間隔は時間経過に従い順次短くなるよう報知音発生部９５において設定されている。
【００８４】
また音声報知の間隔も入浴者が報知間隔設定部９６で調節できる。
【００８５】
さらに時間の経過が進行し、予めカウント手段９２に設定された第一上限時間（たとえば１５分）に達すると（Ｓ６）、Ｓ７において、報知音発生部９５が入浴者に継続して入浴するかのどうかの問いかけを行う（たとえば、‘１５分経過です、続けますか）。
【００８６】
ここで、一定時間（たとえば３０秒程度）、入浴者からの応答がなければ、Ｓ１０に移行するが、入浴者からの応答があれば、次のＳ８に移行する。
【００８７】
この入浴者の応答は、入浴者が経過時間スイッチ９１を一定時間以上（たとえば１〜３秒）押すことで行われる。Ｓ８では、カウント手段９２のカウント動作は継続され、図示しないが、Ｓ４とＳ５の動作も継続されて所定間隔での前述の音声報知も継続される。
【００８８】
カウント動作が進行し、カウント手段９２に設定された、第二上限時間（たとえば６０分）に到達すると（Ｓ９）、次のＳ１０に移行する。
【００８９】
Ｓ１０では、カウント手段９２が、制御部８１を介して加湿空気供給機３の運転を停止し、時間表示部９４の表示値をゼロにリセットする。
【００９０】
つぎに、室内操作器９の残時間スイッチ９８が押された場合の動作について、図５のフローチャートを用いて説明する。
【００９１】
Ｓ１１において、残時間スイッチ９８が押されると、カウント手段９９は、まず表示灯１００を点灯し、時限設定部１０１で設定した時限（たとえば１５分）から時間のカウントダウン動作を開始する（Ｓ１２）。
【００９２】
カウント手段９９はカウントダウン開始から一定時間は、入浴者が時限設定部１０１を操作して時限の変更を行うことを受け付ける（Ｓ１３）。
【００９３】
一定時間経過すると（たとえば３秒）時限の変更受付は停止される（Ｓ１４）。
【００９４】
カウントダウンの進行は時間表示部９４で表示され、カウントダウンが所定時間に達して終了すると（Ｓ１５）、報知音発生部９５が終了したことを音声報知し（Ｓ１６）、続いて入浴を続けるかどうかのアナウンスを行い、入浴者の応答を待つ（Ｓ１７）。
【００９５】
入浴者が入浴の継続を希望しない場合は、Ｓ２１へ移行する。
【００９６】
入浴者が入浴を希望した場合は、その旨を音声で（たとえば‘イエス、はい’、）、もしくは拍手などの擬音で応答すれば、音声認識部１０３がこれを認識し、カウント手段９９に伝達する。これを受けたカウント手段  ９は、カウントのリセットを行い再び、カウントダウンを再開する（Ｓ１８）。
【００９７】
このカウントのリセットは、残時間スイッチ９８を一定時間押し続ける（誤動作を避けるために）ことでも行えるように構成されている。
【００９８】
また、カウントのリセット値は、安全性の面から、初期値より少ない時間に設定されている（たとえば初期設定値の５０％）とともに、カウントダウン再開中は、時限設定部１０１の操作で自由に時限設定ができるよう構成されている。
【００９９】
次に再開したカウントダウンが所定時間に到達すると（Ｓ１９）、報知音発生部９５が終了の報知音を発生し（Ｓ２０）、次にカウント手段９９がカウントした入浴時間を時限記憶部１０２が記憶する（Ｓ２１）。
【０１００】
このＳ２１の動作は、Ｓ１７において入浴者がリセットを希望しなかった場合も同様である。
【０１０１】
次にＳ２２において、時限演算部１０4が時限記憶部１０２に記憶された複数の入浴時間データから平均値を求めこれを記憶する。
【０１０２】
次にＳ２３において、カウント手段９９は制御部８1を介し加湿空気供給機３の運転を停止させる。
【０１０３】
なお、Ｓ２２において時限演算部１０４で記憶された入浴時間のデータは、次回の運転時に、Ｓ１２における運転時間表示に用いられる。
【０１０４】
この時限演算部１０４に記憶された入浴時間のデータ値は、運転が繰り返される毎に更新される移動平均値となる。
【０１０５】
つぎに、室内操作器９の在室検知手段に係わる動作について、図６のフローチャートを用いて説明する。
【０１０６】
図６のフローチャートは図５のフローチャートの一部が異なるだけで他の部分は図５に同じなので、異なる部分を説明し、同じ部分（ステップ符号が同一）は説明を省略する。
【０１０７】
Ｓ３１おいて、在室検知手段１０５はサウナ室への入浴者の入室を検知する。入室が検知されるとＳ１２〜Ｓ１４に移行する。
【０１０８】
在室検知手段１０５は常時、入浴者の検知動作を継続しており、Ｓ３２において、入浴者がサウナ室から退出した場合は、Ｓ２１の動作に移行する。
【０１０９】
この移行動作は、Ｓ１５〜Ｓ２０の任意の時点でも実行する。
【０１１０】
次に、再び図３に戻って遠隔操作器１０の動作について説明する。
【０１１１】
時限演算部１２で求めた推奨の入浴時間は、図２（ｃ）で示すように、遠隔操作器にも表示するが、カウント手段９９を介し、室外操作器９の時間表示部９４にも表示される。
【０１１２】
従って、たとえば、明るい台所で、推奨の入浴時間を求めておけば、入浴者は、暗いサウナ室では、残時間スイッチを押すだけでよく、操作性が向上する。
【０１１３】
以上、実施の形態で説明したように、本発明の装置は、サウナ室内の雰囲気がサウナ浴に適した高温多湿の状態になるまで、数分から十数分の時間を要しても、経過時間スイッチまたは残時間スイッチを操作あるいは、赤外線式あるいは超音波式の在室検知手段などでのサウナ室内の人体を検知することで時間のカウント動作を開始するので、入浴時間とその表示時間を一致させることができる。
【０１１４】
また、音声報知により、入浴の経過時間をリラックスした自然な状態で知ることができる。
【０１１５】
また、人体データを入力することで、入浴者の身体条件に応じた入浴条件で入浴時間が設定でき、入浴時間データの移動平均値を次回の入浴時間に設定することで、入浴者は時限設定部での設定をする必要がなく、操作性が向上する。
【０１１６】
また、経過時間の上限値または残時間のカウントダウンが終了時に音声報知するので、入浴者にとって、身体に差し障りのおそれがある長時間の入浴を防止できる。
【０１１７】
なお、本実施の形態では、時間表示部９４は、カウント手段９２と９９で共用としたが、それぞれ別個に設けてもよく、カウント手段９２と９９を択一的に作動させるのではなしに、同時駆動を行うようにしてもよい。
【０１１８】
また、在室検知手段１０５がカウント手段９９にのみ接続されているが、これは、カウント手段９２にも接続してもよく、その場合も前者と同様の効果が得られる。
【０１１９】
また、図4では、経過時間スイッチ９１が押されるとカウント手段９２は、制御部８１に入浴可能な状態がどうかを問い合わせ、入浴が不可の状態であれば、時間のカウント動作の開始を待機するとしているが、本発明は、これに限定される訳でなく、経過時間スイッチ９１が押されると無条件にカウント手段９２は時間のカウント動作を開始するようにしてもよい。
【０１２０】
また、図５では、残時間スイッチ９８を押して一定時間は運転時間の変更を受け付けるとしているが、本発明は、これに限定される訳でなく、常時受け付けるようにしてもよい。
【０１２１】
また、在室検知手段１０５に人物画像の撮像装置を採用し、入浴時に撮影した入浴者の画像処理を行って、在室検知を行うと共に、人物を特定し、時限記憶部１０２に人物特定情報に関連づけた入浴時間を記憶し、時限演算部１０４において、人物特定情報ごとに入浴時間の平均値処理を行い、次回の入浴に置いて、撮像装置の画像処理で判定した入浴者の入浴時間データを時限演算部１０４から選んで、これをカウント手段９９のカウント時限として設定するようにすれば、サウナ装置を複数の利用者が利用する場合に有効である。
【０１２２】
なお、本実施の形態で説明した構成手段と動作は、マイコン、ＲＡＭ、ＲＯＭなどを協働させるプログラムの形態で実施してもよい。プログラムの形態であれば、機能の改善や改良がプログラムの修正だけで簡単に行うことができる。
【産業上の利用可能性】
【０１２３】
以上のように本発明のサウナ装置の制御装置は、実際の入浴の時間と表示の時間を一致させることが可能となり、かつ、操作も簡便になるので、住居用のサウナ装置はもとより、業務用などの他用途のサウナ装置にも適用できる。
【図面の簡単な説明】
【０１２４】
【図１】本発明の実施の形態１のサウナ装置の制御装置を適用したサウナ装置の外観を示す図
【図２】同制御装置の操作器の外観図
【図３】同制御装置の構成を示すブロック図
【図４】同制御装置の室内操作器の経過時間スイッチが押された場合の動作を説明するためのフローチャート
【図５】同制御装置の室内操作器の残時間スイッチが押された場合の動作を説明するためのフローチャート
【図６】同制御装置の室内操作器の在室検知手段に係わる動作を説明するためのフローチャート
【符号の説明】
【０１２５】
１  サウナ室
２  給湯器
３  加湿空気供給機
４  温水配管
５  給水配管
６  排水配管
７  ドア
８  室外操作器
９  室内操作器
１０  遠隔操作器
１１  人体データ入力手段
１２  時限演算部
８１  加湿空気供給機の制御部
８２  温度センサ
８３  温度設定部
８４  温度表示部
８５  運転スイッチ
８６  運転表示灯
８７  入浴ＯＫ灯
９１  経過時間スイッチ
９２  カウント手段
９３  表示灯
９４  時間表示部
９５  報知音発生部
９６  報知間隔設定部
９７  表示部
９８  残時間スイッチ
９９  カウント手段
１００  表示灯
１０１  時限設定部
１０２  時限記憶部
１０３  音声認識部
１０４  時限演算部
１０５  在室検知手段
【図１】
2006187436.tif 000003
【図２】
2006187436.tif 000004
【図３】
2006187436.tif 000005
【図４】
2006187436.tif 000006
【図５】
2006187436.tif 000007
【図６】
2006187436.tif 000008